(57)【要約】【課題】  ディスクの所謂なだれ込み現象を解消し該ディスクを損傷させることなくトレイを円滑に前後進させること。【解決手段】  電源オフによりドライブシャーシ１３を下動ｄ状態で停止させトレイ７を後進ｂ側に強制的に押し込んだときに、そのトレイ７が筐体１内に戻るようにしたディスク装置において、筐体１内に収納されているトレイ７の後部に接近して該筐体１の天板部１ａの下面に合成樹脂製突起部２４ａ〜２４ｃが垂設されると共に、該突起部２４ａ〜２４ｃの下端がトレイ７の上面７ｂよりも下方に位置決めされている。【選択図】        図４
2006179076.tif 000002
【特許請求の範囲】
【請求項１】
天板部及び底板部と前面板部とにより矩形箱状の筐体が形成され、該筐体内に配置した
装置本体が、ディスク載置用トレイを前後進可能に支持するメインシャーシと、該メイン
シャーシに上下動可能に枢支されて光ピックアップ及びターンテーブルを搭載したドライ
ブシャーシとを有し、前記トレイのディスク収納凹部の周縁部にフックが突設されており
、ターンテーブルによりディスクを高速回転させ、該ディスクに記録されている情報を光
ピックアップで読み取るプレイモードからアンローディング信号に基づいてドライブシャ
ーシを下動させることにより、ターンテーブルからトレイにディスクを受け渡した後、該
トレイを前面板部のディスク取出口を通って前進させ、そのトレイからディスクを取り出
し新たなディスクをトレイ上に載置し、電源オフによりドライブシャーシを下動状態で停
止させトレイを後進側に強制的に押し込んだときに、そのトレイが筐体内に戻るように形
成され、筐体を傾けることによりトレイのディスク収納凹部内からディスクが離脱するの
を前記フックで阻止するようにしたディスク装置において、前記フックを削除し、筐体内
に収納されているトレイの後部に接近して前記天板部の下面に突起部が垂設されると共に
、該突起部の下端がトレイの上面よりも下方に位置決めされ、前記筐体が合成樹脂により
成形され、該筐体の天板部と前記突起部とが一体成形されていることを特徴とするディス
ク装置。
【請求項２】
天板部及び底板部と前面板部とにより矩形箱状の筐体が形成され、該筐体内に配置した
装置本体が、ディスク載置用トレイを前後進可能に支持するメインシャーシと、該メイン
シャーシに上下動可能に枢支されて光ピックアップ及びターンテーブルを搭載したドライ
ブシャーシとを有しており、ターンテーブルによりディスクを高速回転させ、該ディスク
に記録されている情報を光ピックアップで読み取るプレイモードからアンローディング信
号に基づいてドライブシャーシを下動させることにより、ターンテーブルからトレイにデ
ィスクを受け渡した後、該トレイを前面板部のディスク取出口を通って前進させ、そのト
レイからディスクを取り出し新たなディスクをトレイ上に載置し、電源オフによりドライ
ブシャーシを下動状態で停止させトレイを後進側に強制的に押し込んだときに、そのトレ
イが筐体内に戻るようにしたディスク装置において、筐体内に収納されているトレイの後
部に接近して前記天板部の下面に合成樹脂製突起部が垂設されると共に、該突起部の下端
がトレイの上面よりも下方に位置決めされていることを特徴とするディスク装置。
【請求項３】
前記筐体が合成樹脂により成形され、該筐体の天板部と前記突起部とが一体成形されて
いることを特徴とする請求項２に記載のディスク装置。
【発明の詳細な説明】
【技術分野】
【０００１】
本発明は、例えばＤＶＤプレーヤなどのディスクの再生や記録または消去を行うための
ディスク装置に関し、特に、ディスクの所謂なだれ込み現象を解消し該ディスクを損傷さ
せることなくトレイを円滑に前後進させるようにしたものである。
【背景技術】
【０００２】
従来、ＤＶＤプレーヤの一例として図６及び図７に示すものがある。これは、天板部１
ａ及び底板部１ｂと前面板部１ｃとにより矩形箱状の筐体１が形成され、該筐体１内の前
方片隅側に装置本体２が配置されると共に、その筐体１内の装置本体２の周辺に平面視略
Ｌ状のＡＶプリント基板３と矩形状の主プリント基板４とが配置されている。
【０００３】
前記装置本体２は、ディスクＤ載置用トレイ７を前後進ａ，ｂ可能に支持するメインシ
ャーシ８と、該メインシャーシ８に枢支軸９を中心に上下動ｃ，ｄ可能に枢支されて光ピ
ックアップ１０及びターンテーブル１１付きスピンドルモータ１２を搭載したドライブシ
ャーシ１３とを有し、該ドライブシャーシ１３の前面に突設したカム軸１４がカムスライ
ダ１５のカム溝１５ａに嵌入され、該カムスライダ１５がメインシャーシ８に前後進ａ，
ｂとは直交する左右方向ｅ，ｆにスライド可能に配置されており、該カムスライダ１５を
左方向ｅ（または右方向ｆ）にスライドさせることにより、ドライブシャーシ１３を上下
動ｃ，ｄさせるように形成されている。また、前記ターンテーブル１１に対向する磁石付
きディスクホルダ１７がメインシャーシ８の両側壁部８ａ間に架設した横桁１８に一定範
囲内昇降可能に配置されている。なお、図１中、１９はトレイ７の中央部に形成したディ
スク収納凹部、２０はメインシャーシ８の両側壁部８ａからトレイ７の両側縁凹段部７ａ
の上方まで延びる浮き上がり防止片である。
【０００４】
動作原理を説明すると、図６の実線及び図７（ａ）はプレイモードを示しており、スピ
ンドルモータ１２によりターンテーブル１１を介してディスクＤを高速回転させ、該ディ
スクＤに記録されている情報を光ピックアップ１０で読み取り、モニターに映像を再生す
る。
【０００５】
プレイモードからアンローディング信号が入力されると、図７（ｂ）に示すように、カ
ムスライダ１５を左方向ｅ（または右方向ｆ）にスライドさせてドライブシャーシ１３を
下動ｄさせることにより、ターンテーブル１１からトレイ７にディスクＤを受け渡した後
、該トレイ７を前面板部１ｃのディスク取出口２１を通って前進ａさせ、そのトレイ７か
らディスクＤを取り出し新たなディスクＤをトレイ７上に載置する。
【０００６】
続いて、ローディング信号が入力されると、図７（ａ）に示すように、トレイ７を後進
ｂさせて筐体１内に収納した後、カムスライダ１５を右方向ｆ（または左方向ｅ）にスラ
イドさせてドライブシャーシ１３を上動ｃさせることにより、トレイ７上のディスクＤを
ターンテーブル１１とディスクホルダ１７とで挟持する。
【０００７】
上記構成によれば、図８に実線で示すように、アンローディング信号に基づいてトレイ
７を前進ａさせた状態で電源オフにすると、ドライブシャーシ１３が下動ｄ状態のままで
停止され、この状態で、指部によりトレイ７を後進ｂ側に強制的に押し込んで、そのトレ
イ７を筐体１内に戻すと、図８に実線で示すように、ターンテーブル１１が下がったまま
で、そのターンテーブル１１とディスクホルダ１７とでトレイ７上のディスクＤが挟持さ
れない。
【０００８】
上記のようにディスクＤを挟持していない状態で、図８に仮想線で示すように、筐体１
を例えば別の場所に運ぶために傾けると、ディスク収納凹部１９内に収納されているディ
スクＤが後進ｂ側に離脱され、図６にイ位置で示すように、ディスクＤの後ろ半分がトレ
イ７からはみ出るぐらいに外れて、所謂なだれ込み現象が生じる。
【０００９】
この状態から電源オンとし、アンローディング信号に基づいてトレイ７を前進ａさせる
と、ディスクＤが後方に取り残されて筐体１内に落ち込んだり、前進ａするトレイ７と横
桁１８とでディスクＤが挟まれるおそれがある。
【００１０】
上記問題点を解消する技術の一例として特許文献１に記載したものがある。これは、図
９に示すように、トレイ７のディスク収納凹部１９の周縁部にフック２２を突設したもの
であって、筐体１を傾けることによりディスク収納凹部１９からディスクＤが離脱するの
をフック２２で阻止するものである。
【特許文献１】特開平６−２５１４７９号公報
【発明の開示】
【発明が解決しようとする課題】
【００１１】
上記従来の構成では、トレイ７を前後進ａ，ｂさせたときにフック２２が横桁１８に接
触しないように、該フック２２の高さｈを小さく設定しているので〔図１０（ａ）参照〕
、筐体１を傾けたときの衝撃で、ディスクＤがフック２２を乗り越えて後進ｂ側に離脱す
ることがあり〔図１０（ａ）仮想線参照〕、その一方で、フック２２を突設することによ
り、該フック２２と横桁１８との間の間隔αが狭められているので、アンローディング信
号に基づいてトレイ７を前進ａさせると、図１０（ｂ）に示すように、ディスクＤがフッ
ク２２と横桁１８とにより挟まれて、そのディスクＤが損傷されたり、トレイ７の前進ａ
が阻止されるおそれがある。
【００１２】
本発明は、上記従来の欠点に鑑み、ディスクの所謂なだれ込み現象を解消し該ディスク
を損傷させることなくトレイを円滑に前後進させるようにしたディスク装置を提供するこ
とを目的としている。
【課題を解決するための手段】
【００１３】
上記目的を達成するため、請求項１に記載の発明は、天板部及び底板部と前面板部とに
より矩形箱状の筐体が形成され、該筐体内に配置した装置本体が、ディスク載置用トレイ
を前後進可能に支持するメインシャーシと、該メインシャーシに上下動可能に枢支されて
光ピックアップ及びターンテーブルを搭載したドライブシャーシとを有し、前記トレイの
ディスク収納凹部の周縁部にフックが突設されており、ターンテーブルによりディスクを
高速回転させ、該ディスクに記録されている情報を光ピックアップで読み取るプレイモー
ドからアンローディング信号に基づいてドライブシャーシを下動させることにより、ター
ンテーブルからトレイにディスクを受け渡した後、該トレイを前面板部のディスク取出口
を通って前進させ、そのトレイからディスクを取り出し新たなディスクをトレイ上に載置
し、電源オフによりドライブシャーシを下動状態で停止させトレイを後進側に強制的に押
し込んだときに、そのトレイが筐体内に戻るように形成され、筐体を傾けることによりト
レイのディスク収納凹部内からディスクが離脱するのを前記フックで阻止するようにした
ディスク装置において、前記フックを削除し、筐体内に収納されているトレイの後部に接
近して前記天板部の下面に突起部が垂設されると共に、該突起部の下端がトレイの上面よ
りも下方に位置決めされ、前記筐体が合成樹脂により成形され、該筐体の天板部と前記突
起部とが一体成形されていることを特徴としている。
【００１４】
請求項２に記載の発明は、天板部及び底板部と前面板部とにより矩形箱状の筐体が形成
され、該筐体内に配置した装置本体が、ディスク載置用トレイを前後進可能に支持するメ
インシャーシと、該メインシャーシに上下動可能に枢支されて光ピックアップ及びターン
テーブルを搭載したドライブシャーシとを有しており、ターンテーブルによりディスクを
高速回転させ、該ディスクに記録されている情報を光ピックアップで読み取るプレイモー
ドからアンローディング信号に基づいてドライブシャーシを下動させることにより、ター
ンテーブルからトレイにディスクを受け渡した後、該トレイを前面板部のディスク取出口
を通って前進させ、そのトレイからディスクを取り出し新たなディスクをトレイ上に載置
し、電源オフによりドライブシャーシを下動状態で停止させトレイを後進側に強制的に押
し込んだときに、そのトレイが筐体内に戻るようにしたディスク装置において、筐体内に
収納されているトレイの後部に接近して前記天板部の下面に合成樹脂製突起部が垂設され
ると共に、該突起部の下端がトレイの上面よりも下方に位置決めされていることを特徴と
している。
【００１５】
請求項３に記載の発明は、請求項２に記載の発明において、前記筐体が合成樹脂により
成形され、該筐体の天板部と前記突起部とが一体成形されていることを特徴としている。
【発明の効果】
【００１６】
請求項１に記載の発明は実施の一形態（図１〜図５参照）に対応するものであって、こ
れによれば、筐体を例えば別の場所に運ぶために傾けることにより、トレイのディスク収
納凹部内からディスクが後進側に離脱しようとしても、トレイの後部に接近して筐体の天
板部の下面に突起部が垂設されているので、該突起部の上を越えてディスクが後進側に離
脱することがないし、その突起部の下端がトレイの上面よりも下方に位置決めされている
ので、その突起部の下をくぐり抜けてディスクが後進側に離脱することもなく、所謂なだ
れ込み現象を確実に解消してディスクをトレイ上にとどめて置くことができ、そのディス
クをトレイの前進により筐体外にスムーズに取り出すことができる。
【００１７】
また、突起部が合成樹脂により形成されているので、その突起部と装置本体内の電子部
品との間で電気的にショートするおそれがない。
【００１８】
更に、筐体の天板部と突起部とを合成樹脂で一体成形することにより、その突起部付き
天板部を安価に量産することができる。
【００１９】
請求項２に記載の発明は基本形態に相当するものであって、筐体を例えば別の場所に運
ぶために傾けることにより、トレイのディスク収納凹部内からディスクが後進側に離脱し
ようとしても、トレイの後部に接近して筐体の天板部の下面に突起部が垂設されているの
で、該突起部の上を越えてディスクが後進側に離脱することがないし、その突起部の下端
がトレイの上面よりも下方に位置決めされているので、その突起部の下をくぐり抜けてデ
ィスクが後進側に離脱することもなく、所謂なだれ込み現象を確実に解消してディスクを
トレイ上にとどめて置くことができ、そのディスクをトレイの前進により筐体外にスムー
ズに取り出すことができる。
【００２０】
また、突起部が合成樹脂により形成されているので、その突起部と装置本体内の電子部
品との間で電気的にショートするおそれがない。
【００２１】
請求項３に記載の発明によれば、筐体の天板部と突起部とを合成樹脂で一体成形するこ
とにより、その突起部付き天板部を安価に量産することができる。
【発明を実施するための最良の形態】
【００２２】
図１〜図３は本発明の実施の一形態であるＤＶＤプレーヤ（ディスク装置）を示すもの
であって、筐体１内に収納されているトレイ７の後部に接近して天板部１ａの下面に突起
部２４ａ〜２４ｃが垂設されている。上記以外の構成は図６及び図７に示す構成とほぼ同
じであるから、同一部分に同一符号を付してその説明を省略する。
【００２３】
前記筐体１は、合成樹脂により成形され、該筐体１の天板部１ａと前記突起部２４ａ〜
２４ｃとが一体成形されており、これによって、突起部２４ａ〜２４ｃ付き天板部１ａを
安価に量産することができる。
【００２４】
前記突起部２４ａ〜２４ｃは、この実施の形態では、ディスク収納凹部１９から後進ｂ
側に離脱するディスクＤの外周縁ロ（図１参照）に沿って左右方向ｅ，ｆに所定間隔をお
いて３本設けられており、その中央の突起部２４ｂは、トレイ７の後端縁中央部に接近し
てその後方に位置決めされ、その左右両突起部２４ａ，２４ｃは、トレイ７の両側縁凹段
部７ａの上方に位置決めされており、その各突起部２４ａ〜２４ｃの下端がトレイの上面
７ｂよりも所定間隔βをおいて下方に位置決めされている。
【００２５】
動作原理はは図６及び図７に示す従来例とほぼおなじであるから、その説明を省略する
。そして、図４に示すように、電源オフによりドライブシャーシ１３を下動ｄ状態で停止
させ、指部によりトレイ７を後進ｂ側に強制的に押し込むことにより、ターンテーブル１
１とディスクホルダ１７とでトレイ７上のディスクＤが挟持されていないときに、筐体１
を例えば別の場所に運ぶために傾けると、図５（ａ）に示すように、ディスク収納凹部１
９内に収納されているディスクＤが後進ｂ側に離脱されるが、トレイ７の後部に接近して
天板部１ａの下面に突起部２４ａ〜２４ｃが垂設されているので、該突起部２４ａ〜２４
ｃの上を越えてディスクＤが後進ｂ側に離脱することがないし、その突起部２４ａ〜２４
ｃの下端がトレイ７の上面７ｂよりも下方に位置決めされているので、その突起部２４ａ
〜２４ｃの下をくぐり抜けてディスクＤが後進ｂ側に離脱することもなく、所謂なだれ込
み現象を確実に解消してディスクＤをトレイ７上にとどめて置くことができ、図５（ｂ）
に示すように、アンローディング信号に基づいてトレイ７を前進ａさせたときに、該トレ
イ７の上面７ｂと横桁１８との間の間隔αがディスクＤの厚さ以上に充分に大きく確保さ
れているので、そのディスクＤをトレイ７の前進ａにより筐体１外にスムーズに取り出す
ことができる。
【００２６】
また、突起部２４ａ〜２４ｃが合成樹脂により形成されているので、その突起部２４ａ
〜２４ｃと装置本体２内の電子部品との間で電気的にショートするおそれがない。
【００２７】
上記構成では、３本の突起部２４ａ〜２４ｃを突設したが、その左右両突起部２４ａ，
２４ｃを削除し、その中央の突起部２４ｂだけを残すようにしてもよい。
【産業上の利用可能性】
【００２８】
上記の実施の一形態では、再生専用のＤＶＤプレーヤを例にあげて説明したが、これに
限定されるわけではなく、例えば再生や録画または消去を行うＤＶＤレコーダなどの各種
のディスク装置にも適用される。
【図面の簡単な説明】
【００２９】
【図１】本発明の実施の一形態であるディスク装置の水平断面図である。
【図２】図１のＡ−Ａ矢視図である。
【図３】同要部の斜視図である。
【図４】同ディスク離脱阻止状態を示す縦断面図である。
【図５】（ａ）は同離脱阻止作用の前半を示す要部の拡大縦断面図、（ｂ）は同離脱阻止作用の後半を示す要部の拡大縦断面図である。
【図６】従来の一例を示す水平断面図である。
【図７】（ａ）はプレイモードを示す縦断面図、（ｂ）はアンローディング状態の縦断面図である。
【図８】同ディスク離脱状態を示す縦断面図である。
【図９】従来の改良例を示す縦断面図である。
【図１０】（ａ）は同離脱阻止作用の前半を示す要部の拡大縦断面図、（ｂ）は同離脱阻止作用の後半を示す要部の拡大縦断面図である。
【符号の説明】
【００３０】
１                      筐体
１ａ                    筐体の天板部
１ｂ                    筐体の底板部
１ｃ                    筐体の前面板部
２                      装置本体
７                      トレイ
７ｂ                    トレイの上面
８                      メインシャーシ
１０                    光ピックアップ
１１                    ターンテーブル
１３                    ドライブシャーシ
１９                    トレイのディスク収納凹部
２２                    フック
２４ａ〜２４ｃ          突起部
Ｄ                      ディスク
ａ，ｂ                  前後進
ｃ，ｄ                  上下動
【図１】
2006179076.tif 000003
【図２】
2006179076.tif 000004
【図３】
2006179076.tif 000005
【図４】
2006179076.tif 000006
【図５】
2006179076.tif 000007
【図６】
2006179076.tif 000008
【図７】
2006179076.tif 000009
【図８】
2006179076.tif 000010
【図１０】
2006179076.tif 000011
【図９】
2006179076.tif 000012